【手続補正書】
【提出日】平成18年11月16日(2006.11.16)
【手続補正１】
【補正対象書類名】明細書
【補正対象項目名】発明の名称
【補正方法】変更
【補正の内容】
【発明の名称】刺しゅう縫機能を有するミシン
【手続補正２】
【補正対象書類名】明細書
【補正対象項目名】特許請求の範囲
【補正方法】変更
【補正の内容】
【特許請求の範囲】
【請求項１】
ミシンの針の上下動に調時して布を張設した布枠を固着した先端キャリッジをＸ方向とＹ方向に駆動して布上に刺繍模様を形成するようにしたミシンにおいて、
先端に布枠を装着する先端キャリッジがＹ方向に往復動自在に設けられたＹ方向駆動装置を装着して該Ｙ方向駆動装置をＸ方向に駆動するＸ駆動源に連結されたＸ方向駆動装置と、
前記Ｙ方向駆動装置においてＹ方向駆動源に連結されてＹ方向に往復動するＹ方向移動手段と、
該Ｙ方向移動手段と前記先端キャリッジとをそれぞれ連結して前記Ｙ方向移動手段のＹ方向移動量を増幅して前記先端キャリッジを駆動する増幅手段と、
を備えたことを特徴とする刺しゅう縫機能を有するミシン。
【請求項２】
ミシンの針の上下動に調時して布を張設した布枠を固着した先端キャリッジをＸ方向とＹ方向に駆動して布上に刺繍模様を形成するようにしたミシンにおいて、
先端に布枠を装着する先端キャリッジがＹ方向に往復動自在なＹ方向駆動装置が装着された該Ｙ方向駆動装置をＸ方向に駆動するＸ駆動源に連結されたＸ方向駆動装置と、
前記Ｙ方向駆動装置においてＹ方向駆動源に連結されてＹ方向に往復動するＹ方向移動手段と、
該Ｙ方向移動手段と前記先端キャリッジとをそれぞれ連結して前記Ｙ方向移動手段のＹ方向移動量を増幅して前記先端キャリッジを駆動する増幅手段とを備え、
前記Ｙ方向駆動源に連結されてＹ方向に往復動するＹ方向移動手段がキャリッジ駆動機構を収納する機枠内に収納される収納位置と機枠から延出する延出位置との間で往復動するようにしたこと
を特徴とする刺しゅう縫機能を有するミシン。
【請求項３】
前記Ｙ方向移動手段の機枠から延出する延出位置においてＹ方向移動手段が前記先端キャリッジを支持するようにしたこと
を特徴とする請求項２に記載の刺しゅう縫機能を有するミシン。
【請求項４】
ミシンの針の上下動に調時して布を張設した布枠を固着した先端キャリッジをＸ方向とＹ方向に駆動して布上に刺繍模様を形成するようにしたミシンにおいて、
Ｘ方向駆動装置に連結されてＸ方向に駆動されるベースキャリッジに中間キャリッジがＹ方向に往復動自在に設けられ、該中間キャリッジに先端キャリッジがＹ方向に往復動自在に設けられ、前記ベースキャリッジにはＹ方向駆動装置に連結されて前記ベースキャリッジ上でＹ方向に移動する駆動体を備え、該駆動体に前記中間キャリッジが固着され、該中間キャリッジにはＹ方向に所定の距離だけ離間した位置に一対のガイド輪が設けられており、該、一対のガイド輪にループ状にループ状ベルトが巻き掛けられており、前記ループ状ベルトの対向する所定の位置の一方の側を前記ベースキャリッジに固着し、他の側に先端キャリッジを固着して、前記駆動体のＹ方向移動にて前記中間キャリッジがＹ方向に往復動し、該中間キャリッジの前記一対のガイド輪の移動により、前記先端キャリッジがＹ方向移動するようにしたこと
を特徴とする刺しゅう縫機能を有するミシン。
【請求項５】
ミシンの針の上下動に調時して布を張設した布枠を固着した先端キャリッジをＸ方向とＹ方向に駆動して布上に刺繍模様を形成するようにしたミシンにおいて、
Ｘ方向駆動装置に連結されてＸ方向に駆動されるベースキャリッジに中間キャリッジがＹ方向に往復動自在に設けられ、該中間キャリッジに先端キャリッジがそれぞれ前記一方向とは異なるＹ方向に往復動自在に設けられ、前記ベースキャリッジにはＹ方向に所定の距離だけ離間した位置に一対の第１ガイド輪が設けられており、該一対の第１ガイド輪にループ状に巻き掛けられてＹ方向駆動装置によりＹ方向に駆動される第１ループ状ベルトを備え、該第１ループ状ベルトに前記中間キャリッジが固着され、該中間キャリッジにはＹ方向に所定の距離だけ離間した位置に一対のガイド輪が設けられており、該、一対のガイド輪にループ状の第２ループ状ベルトが巻き掛けられており、該第２ループ状ベルトの対向する所定の位置の一方の側を前記ベースキャリッジに固着し、他の側に先端キャリッジを固着して、前記第１ループ状ベルトのＹ方向移動にて前記中間キャリッジがＹ方向に往復動し、該中間キャリッジの前記一対のガイド輪の移動により、先端キャリッジがＹ方向移動するようにしたこと
を特徴とする刺しゅう縫機能を有するミシン。
【請求項６】
前記キャリッジ駆動機構がミシンの本体ベース内に収納されているようにしたこと
を特徴とする、請求項１又は２に記載の刺しゅう縫機能を有するミシン。
【手続補正３】
【補正対象書類名】明細書
【補正対象項目名】０００１
【補正方法】変更
【補正の内容】
【０００１】
【産業上の利用分野】
本発明は、刺しゅう縫機能を有するミシンにおいて、刺しゅう縫いを従来より広い範囲で行うことができ、且つミシンの内部機構が占有するスペースを極めて有効に使用することができる刺しゅう縫機能を有するミシンに関する。
【手続補正４】
【補正対象書類名】明細書
【補正対象項目名】０００９
【補正方法】変更
【補正の内容】
【０００９】
【課題を解決するための手段】
そこで発明者は、前記課題を解決すべく、鋭意，研究を重ねた結果、本発明を、ミシンの針の上下動に調時して布を張設した布枠を固着した先端キャリッジをＸ方向とＹ方向に駆動して布上に刺繍模様を形成するようにしたミシンにおいて、先端に布枠を装着する先端キャリッジがＹ方向に往復動自在に設けられたＹ方向駆動装置を装着して該Ｙ方向駆動装置をＸ方向に駆動するＸ駆動源に連結されたＸ方向駆動装置と、前記Ｙ方向駆動装置においてＹ方向駆動源に連結されてＹ方向に往復動するＹ方向移動手段と、該Ｙ方向移動手段と前記先端キャリッジとをそれぞれ連結して前記Ｙ方向移動手段のＹ方向移動量を増幅して前記先端キャリッジを駆動する増幅手段と、を備えた刺しゅう縫機能を有するミシンとすることで課題を解決した。
また本発明を、ミシンの針の上下動に調時して布を張設した布枠を固着した先端キャリッジをＸ方向とＹ方向に駆動して布上に刺繍模様を形成するようにしたミシンにおいて、先端に布枠を装着する先端キャリッジがＹ方向に往復動自在なＹ方向駆動装置が装着された該Ｙ方向駆動装置をＸ方向に駆動するＸ駆動源に連結されたＸ方向駆動装置と、前記Ｙ方向駆動装置においてＹ方向駆動源に連結されてＹ方向に往復動するＹ方向移動手段と、該Ｙ方向移動手段と前記先端キャリッジとをそれぞれ連結して前記Ｙ方向移動手段のＹ方向移動量を増幅して前記先端キャリッジを駆動する増幅手段とを備え、前記Ｙ方向駆動源に連結されてＹ方向に往復動するＹ方向移動手段がキャリッジ駆動機構を収納する機枠内に収納される収納位置と機枠から延出する延出位置との間で往復動するようにした刺しゅう縫機能を有するミシンとすることで課題を解決した。
また本発明の前記Ｙ方向移動手段の機枠から延出する延出位置においてＹ方向移動手段が前記先端キャリッジを支持するようにしたことで課題を解決した。
また本発明は、ミシンの針の上下動に調時して布を張設した布枠を固着した先端キャリッジをＸ方向とＹ方向に駆動して布上に刺繍模様を形成するようにしたミシンにおいて、Ｘ方向駆動装置に連結されてＸ方向に駆動されるベースキャリッジに中間キャリッジがＹ方向に往復動自在に設けられ、該中間キャリッジに先端キャリッジがＹ方向に往復動自在に設けられ、前記ベースキャリッジにはＹ方向駆動装置に連結されて前記ベースキャリッジ上でＹ方向に移動する駆動体を備え、該駆動体に前記中間キャリッジが固着され、該中間キャリッジにはＹ方向に所定の距離だけ離間した位置に一対のガイド輪が設けられており、該、一対のガイド輪にループ状にループ状ベルトが巻き掛けられており、前記ループ状ベルトの対向する所定の位置の一方の側を前記ベースキャリッジに固着し、他の側に先端キャリッジを固着して、前記駆動体のＹ方向移動にて前記中間キャリッジがＹ方向に往復動し、該中間キャリッジの前記一対のガイド輪の移動により、前記先端キャリッジがＹ方向移動するようにした刺しゅう縫機能を有するミシンとすることで課題を解決した。
また本発明は、ミシンの針の上下動に調時して布を張設した布枠を固着した先端キャリッジをＸ方向とＹ方向に駆動して布上に刺繍模様を形成するようにしたミシンにおいて、Ｘ方向駆動装置に連結されてＸ方向に駆動されるベースキャリッジに中間キャリッジがＹ方向に往復動自在に設けられ、該中間キャリッジに先端キャリッジがそれぞれ前記一方向とは異なるＹ方向に往復動自在に設けられ、前記ベースキャリッジにはＹ方向に所定の距離だけ離間した位置に一対の第１ガイド輪が設けられており、該一対の第１ガイド輪にループ状に巻き掛けられてＹ方向駆動装置によりＹ方向に駆動される第１ループ状ベルトを備え、該第１ループ状ベルトに前記中間キャリッジが固着され、該中間キャリッジにはＹ方向に所定の距離だけ離間した位置に一対のガイド輪が設けられており、該、一対のガイド輪にループ状の第２ループ状ベルトが巻き掛けられており、該第２ループ状ベルトの対向する所定の位置の一方の側を前記ベースキャリッジに固着し、他の側に先端キャリッジを固着して、前記第１ループ状ベルトのＹ方向移動にて前記中間キャリッジがＹ方向に往復動し、該中間キャリッジの前記一対のガイド輪の移動により、先端キャリッジがＹ方向移動するようにした刺しゅう縫機能を有するミシンとすることで課題を解決した。
更に前記キャリッジ駆動機構がミシンの本体ベース内に収納されているようにした刺しゅう縫機能を有するミシンとすることで課題を解決した。